(57)【要約】【課題】ろ過容器の内部を被処理水室とろ過水室とに区割する管板に一端部を取付けられて上記両水室の一方に位置する多数本のろ過エレメントを管板から外し、新しいろ過エレメントと交換する作業を容易にする。【解決手段】ろ過エレメント１３の複数本宛の間に位置して管板１１に着脱板２１を回転可能に固定し、着脱板は、回転位置によっては回りの複数本のろ過エレメントを取外し不能にし、他の回転位置では取外し可能にする。【選択図】　　　図１
2004136168.tif 000002
【特許請求の範囲】
【請求項１】
ろ過容器の内部が管板によって被処理水室とろ過水室とに区画され、上記管板に設けられた複数の取付け口の１つ宛に一端部を取外し可能に取付けられて、上記両水室のどちらか一方の水室の内部に位置する多数本の細長いろ過エレメントを備えたろ過装置において、上記ろ過エレメントの複数本宛の間に位置して管板に着脱板を回転可能に固定し、着脱板は、回転位置によっては回りの複数本のろ過エレメントを取外し不能にし、他の回転位置では取外し可能にするようにしたことを特徴とするろ過装置。
【請求項２】
請求項１に記載のろ過装置において、着脱板は管板にボルト、ナットで取付けられていることを特徴とするろ過装置。
【請求項３】
請求項１と２のどれか１項に記載のろ過装置において、着脱板は２本のろ過エレメントの中間で管板に取付けられた細長い帯状板であることを特徴とするろ過装置。
【請求項４】
請求項１と２のどれか１項に記載のろ過装置において、着脱板は、正多角形の角に配置された３本以上のろ過エレメントの、上記正多角形と同じ正多角形板であることを特徴とするろ過装置。
【請求項５】
請求項４に記載のろ過装置において、着脱板は上記正多角形の角に稜を向けた星形板であることを特徴とするろ過装置。
【発明の詳細な説明】
【０００１】
【発明の属する技術分野】
この発明は、管板に一端部が片持ちで、取外し可能に取付けられた円筒形で、ろ布、ろ紙、ろ膜、多孔質体などで形成された細長い筒状ないしプリーツ筒状のろ過エレメントによって被処理水、例えば復水中の濁質をろ過し、清澄な処理水を得るろ過装置に関する。
【０００２】
【従来の技術】
従来のろ過装置は、ろ過容器の内部を管板によって被処理水室とろ過水室とに区画し、上記管板に設けられた複数の取付け口の１つ宛に細長いろ過エレメントの一端部を取外し可能に取付けていた（例えば特許文献１参照。）。
【０００３】
【特許文献１】
特許第２６０７１０１号公報
【０００４】
【発明が解決しようとする課題】
上記公知のろ過装置では、管板に開設された複数の取付け口に一端部を取付けられて被処理水室の内部に位置するろ過エレメントは、管板の複数の取付け口と同じ配置の開口を有する保持板を管板の処理水室側の面に当て、保持板から管板中にねじ込んだ多数本のボルトで保持板を管板に対して固定し、保持板の各開口の縁でろ過エレメントの一本宛の一端部を管板に固定している。このためろ過エレメントに濁質が堆積し、ろ過能力が低下した際、ろ過エレメントを新しいものと交換するには、保持板を管板に対し固定している多数本のボルトの全部を抜き外し、保持板を管板から取り外すことが必要であり、ろ過エレメントを新しいものと交換して管板に取付けたら管板に再び保持板を当て、多数本のボルトを保持板から管板にねじ込んで固定しなければならず、ろ過エレメントの交換作業に非常に手数と、時間を要する。
【０００５】
【課題を解決するための手段】
この発明は、上述した問題点を解消するために開発されたもので、請求項１のろ過装置は、ろ過容器の内部が管板によって被処理水室とろ過水室とに区画され、上記管板に設けられた複数の取付け口の１つ宛に一端部を取外し可能に取付けられて、上記両水室のどちらか一方の水室の内部に位置する多数本の細長いろ過エレメントを備えたろ過装置において、上記ろ過エレメントの複数本宛の間に位置して管板に着脱板を回転可能に固定し、着脱板は、回転位置によっては回りの複数本のろ過エレメントを取外し不能にし、他の回転位置では取外し可能にするようにしたことを特徴とする。この場合、着脱板は管板にボルト、ナットで取付けられていることが好ましい。そして、隣接するろ過エレメントが２本の場合は着脱板は両エレメントの中間で管板に取付けられた細長い帯状板にし、隣接するろ過エレメントの本数が３本、又はそれ以上の場合は、ろ過エレメントを正多角形の角（かど）に配置し、着脱板は上記正多角形の中心にボルト、ナットで取付けた同じ正多角形板、又は正多角形の角に稜を向けた星形板にすればよい。
【０００６】
【発明の実施の形態】
図示の各実施形態において、１０はろ過容器で、その内部は管板１１によって被処理水の取入口１４を有する被処理水室１５と、ろ過処理水の排出口１６を有するろ過水室１７とに区割されている。図１では、横長のろ過容器１０の中央部に設けた２枚の管板１１、１１の間に被処理水室１５を形成し、被処理水室１５の左右にろ過水室１７、１７が設けられているが、勿論、ろ過容器の内部を１枚の管板で１つ宛の被処理水室とろ過水室とに区画するだけでもよい。
【０００７】
そして、図１では２枚の管板１１、１１の取付口１２に一端を固定した多数本のろ過エレメント１３がろ過水室１７、１７内に位置して設けてある。図２（Ｂ）に示すように、各一本宛のろ過エレメントは一端に０リングを有する鍔１３′を備え、この鍔１３′を管板の取付口１２の被処理水室側に向いた拡径部１２′に嵌め、被処理水室側に取出し可能に片持ちで支持されている。ろ過水室に位置するろ過エレメント１３の端部付近には、ろ過エレメントの振れを抑制するために、支持材１９を設けてろ過エレメントの短部を固定するようにしてもよい。
【０００８】
この１本宛のろ過エレメントを、図１では被処理水室１５側に取出し不能にしたり、取出し可能にするため、ろ過エレメントの複数本宛の間に位置して、管板１１に設けたスタッドボルト２２と、このスタッドにねじ込んだロックナット２３、２３でろ過エレメントの複数本の配置に対応した形態の着脱板２１を回転可能に固定し、スタッドボルトを中心とする着脱板２１の回転位置によっては回りの複数本のろ過エレメントを取出し不能にし、他の回転位置では取出し可能にするのである。
【０００９】
図２（Ａ）は図１のＩＩ−ＩＩ線から見た部分拡大正面図で、管板１１には相互に上（又は下）の段の２本宛のろ過エレメントの中間に下（又は上）の段の１本宛のろ過エレメントの合計３本宛のろ過エレメントが千鳥状に、正三角形の角に位置して取付けてある。そして、上の段と下の段との合計３本の、正三角形の角に位置するろ過エレメントで形成された管板１１上の空間の中心のスタッドボルト２２に正三角形の着脱板２１を嵌め、ロックナット２３で締付けて管板上に着脱板を固定する。勿論、ロックナットを緩めれば着脱板はスタッドボルトを中心に回すことができる。
【００１０】
この場合、頂点を下に向けて管板に固定された着脱板２１Ａは下向きの頂点と、水平な左右の頂点で３本のろ過エレメント１３Ａ、１３Ａ、１３Ａの一端部の縁を抑えるため、縁を抑えられた３本のろ過エレメントは管板の取付け口１２から被処理水室に取出すことができない。
【００１１】
これに対して、回りの三つの着脱板２１Ｂ、２１Ｂ、２１Ｂが頂点を上に向けて管板に固定されると、この三つの着脱板で囲まれたろ過エレメント１３Ｂは着脱板で縁を抑えられなくなるため、管板の取付け口１２から被処理水室に取出せることになる。
【００１２】
つまり、運転に際しては全部の三角形の着脱板２１を、頂点を下に向けて管板に固定し、ろ過運転を行い、ろ過エレメントに濁質が堆積してろ過能力が低下し、全部のろ過エレメントを新しいものと交換する際は、運転を停め、ろ過容器内に残っている水の全部を排水し、被処理水室に設けたマンホール１８を開き、そこから作業員が被処理室内に入り、管板に固定されている三角形の全部の着脱板の向きを頂点が上を向くように固定し直す。これによって全部のろ過エレメントを１本宛、管板の取付け口から被処理水室内に抜いてマンホールから外に出し、その後、新しいろ過エレメントを被処理水室に入れ、１本宛、管板の取付け口に差し込み、それから三角形の全部の着脱板を頂点が下に向くように固定し直し、全部のろ過エレメントを取付け口から抜け出ないようにし、マンホールを閉じてろ過運転を再開すればよい。
【００１３】
図３は管板１１に対して図２（Ａ）と同じ配置でろ過エレメントの一端部を取付けているが、この場合は互いに隣接した２本のろ過エレメントの中間にスタッドボルト２２とロックナット２３で細長い帯状の着脱板２１を設け、水平な向きに固定されている着脱板２１Ａはその両端部で両側のろ過エレメント１３Ａ、１３Ａの一端部の縁を抑えるため、この両エレメント１３Ａ、１３Ａは管板から取出すことができない。しかし、両側の着脱板２１Ｂ、２１Ｂがロックナットを緩めて垂直に固定し直されると両着脱板２１Ｂ、２１Ｂの間のろ過エレメント１３Ｂは着脱板で縁を抑えられなくなるので管板から取出すことができる。
【００１４】
３本又はそれ以上のろ過エレメントは、その数だけの正三角形の角に配置し（図２の場合は３本のろ過エレメントを正三角形の三つの角（かど）に配置し）、その正三角形の中心に回転可能に同じ正多角形の着脱板を固定し、ろ過エレメントの管板からの取出しを阻止するときは、着脱板の１つ宛の角（かど）で１本宛のろ過エレメントの一端部を抑えたが、例えば、図４に示すように４本のろ過エレメントを正四角形の角（かど）に位置するように配置し、その正四角形の中心にスタッドボルト２２とロックナット２３で回転可能に固定する着脱板は同じ正四角形ではなく、正四角形の角（かど）に稜を向けた４つの稜を有する星形板にし、実線のようにして各稜で取出しを不能にし、破線の状態にして取出しを可能にしてもよい。
【００１５】
つまり、正多角形の角（かど）に位置させて管板に取付けた３本以上のろ過エレメントを管板に着脱可能にするのは、その正多角形の中心に回転可能に固定した正多角形板に限定されず、正多角形の角に稜を１つ宛向けた星形板でもよい。
【００１６】
更に、以上の説明において、管板に一端部を取付けたろ過エレメントはろ過水室内に位置させたが、ろ過エレメントはろ過水室に限定されず、被処理水室内に位置させてもよい。その場合は、着脱板を回したり、能力の低下したろ過エレメントを外に出したり、新品のろ過エレメントを入れるためのマンホールは被処理室に設ける。一枚の管板で処理水室と被処理水室とに区画する場合は、一方の室のろ過容器は開閉蓋で構成し、蓋を開放してろ過エレメントの取外し、取付けを行うようにしてもよい。
【００１７】
【発明の効果】
本発明によれば、ろ過エレメントの一端部を管板の取付け口に着脱するための部材をろ過容器の外に出したり、外に出した部材を再びろ過容器の中に入れて固定し直すことが不要になり、ろ過エレメントの交換作業を手数をかけず、極く短時間で行うことができ、ろ過エレメント使用型ろ過装置のろ過効率の向上に寄与する。
【図面の簡単な説明】
【図１】この発明が対象とするろ過装置の一例の断面図。
【図２】（Ａ）は一端部を管板に取付けられたろ過エレメントの一例の正面図。
（Ｂ）は（Ａ）のＢ−Ｂ線での一部の拡大縦断側面図。
【図３】（Ａ）は一端部を管板に取付けられたろ過エレメントの別の例の正面図。
【図４】４本のろ過エレメントと、その着脱板の他の例を示す正面図。
【符号の説明】
１０　　ろ過容器
１１　　管板
１２　　管板の取付け口
１２′　取付け口の大径部
１３　　ろ過エレメント
１３′　ろ過エレメントの一端部の鍔
１４　　被処理水の取入口
１５　　被処理水室
１６　　ろ過処理水の排出口
１７　　ろ過水室
１８　　マンホール
２１　　着脱板
２２　　スタッドボルト
２３　　ロックナット
【図１】
2004136168.tif 000003
【図２】
2004136168.tif 000004
【図３】
2004136168.tif 000005
【図４】
2004136168.tif 000006